(57)【要約】      （修正有）【課題】デジタル回路部領域のみ、アナログ回路部領域のみ、又はデジタル回路部領域やアナログ回路部領域とが混在するオーディオ機器においてもノイズの発生を抑制したオーディオ機器を提供する。【解決手段】オーディオ機器の外部にそれぞれ独立したコネクター１を複数設けて、アナログ機構４、デジタル機構５、電力増幅部など、モジュール毎にそれぞれ独立した電流を送電する回路を設ける。【選択図】図１
0003167682.tif 000002
【実用新案登録請求の範囲】
【請求項１】
オーディオ機器の外部に設けられた複数の独立コネクター、及び、該複数の独立コネクターからアナログ部、デジタル部、電力増幅部など、モジュール毎に別々に送電可能な回路が設けられていることを特徴とする内部にデジタル回路部領域のみ、アナログ回路部領域のみ、又はデジタル回路部領域やアナログ回路部領域が設けられたオーディオ機器。
【請求項２】
複数の独立コネクターが少なくとも５ｍｍ以上隔離していることを特徴とする請求項１に記載のオーディオ機器。
【考案の詳細な説明】
【技術分野】
【０００１】
本願考案はノイズの発生が抑制されたオーディオ機器に関するものであり、特に内部にデジタル回路部領域やアナログ回路部領域が設けられたオーディオ機器において、ノイズ電流によって発生するノイズを抑制した機器に関するものである。
【背景技術】
【０００２】
現在社会においては、オーディオ機器は広く使用されており、一般家庭でも１つや２つはオーディオ機器を所持しているが、現在使用されている多くのオーディオ機器は、内部にデジタル回路部領域とアナログ回路部領域の双方が設けられている。このデジタル回路部領域とアナログ回路部領域の双方が設けられているオーディオ機器のほとんどは、電源からマルチ供給ラインで電流を取り入れられているため、それぞれの回路に流れる電流が互いに干渉しあってノイズ電流が流れ、その結果オーディオ機器としては最も肝心な音質が損なわれることになる。したがって、内部にデジタル回路部領域とアナログ回路部領域とが設けられているオーディオ機器では、デジタル回路部で生じたノイズ電流がアナログ回路部に悪影響を与えて発生する、音質劣化の主要な要因となる電気的ノイズを防止する為にオーディオ機器の内部で電源部を分離したり、デジタル回路部領域とアナログ回路部領域との間に悪影響の原因であるノイズ電流を遮断するための種々の機構、例えば分離部を有する機構を設ける等の種々の対策が用いられている（特許文献１〜５）。
【０００３】
しかしながら、デジタル回路部領域とアナログ回路部領域とが設けられているオーディオ機器のノイズ電流を除去するための機構として、従来から行われているオーディオ機器の内部で電源部を分離したり、デジタル回路部領域とアナログ回路部領域との間にフィルタを設けて分離する機構にしても、同一コネクターからの電源ケーブルを使用する場合には、供給電源ラインが同一であるためノイズ電流の防止には限界があった。要するに、オーディオ機器の電源供給ルートを同じにする機構を採用する場合は、ノイズの発生源となる回路構成部とノイズの影響を受けにくい回路構成部を効率よく分離するには限界があり、例えノイズ電流のない電源ラインにコネクターを接続しても、電源供給ルートを経由してノイズ電流が通電されるため、従来のオーディオ機器は、オーディオ機器として最も重要とされるノイズ電流に起因する音質の低下を避けることができなかった。
【先行技術文献】
【特許文献】
【０００４】
【特許文献１】特開２０１１−１８５２９号公報
【特許文献２】特開２０１０−１７８５８５号公報
【特許文献３】特開２０１０−１７７９８５号公報
【特許文献４】特開２００９−２５３７０９号公報
【特許文献５】特開２００５−１５９８７１号公報
【考案の概要】
【考案が解決しようとする課題】
【０００５】
本願考案は上記の課題を解決するものであり、内部にデジタル回路部領域のみ、アナログ回路部領域のみ、又はデジタル回路部領域やアナログ回路部領域を有するオーディオ機器において、ノイズ電流の発生を抑制することができる機器を提供するものである。
【課題を解決するための手段】
【０００６】
本願考案のオーディオ機器は上記の課題を解決するものとして、第１の考案は、オーディオ機器の外部に設けられた複数の独立コネクター、及び、該複数の独立コネクターからアナログ部、デジタル部、電力増幅部など、モジュール毎に別々に送電可能な回路が設けられていることを特徴とする内部にデジタル回路部領域のみ、アナログ回路部領域のみ、又はデジタル回路部領域やアナログ回路部領域が設けられたオーディオ機器を提供する。
また、本願第２の考案は、オーディオ機器の外部に設けられた複数の独立コネクターが少なくとも５ｍｍ以上隔離していることを特徴とする上記のオーディオ機器を提供する。
【考案の効果】
【０００７】
本願考案のデジタル回路部領域やアナログ回路部領域を備えたオーディオ機器は、複数の電源供給ラインを個別に同一オーディオ機器内に通電する回路を具備することで、より効果的に電源ラインからのノイズ電流を抑制することができるため、従来と同様の同一ラインからの電源供給についても一切制限することなくオーディオ機器を使用することが可能である。また、オーディオ機器内で機能別に分離する必要がないため製造コストを削減することができるという優れた効果を有している。
【図面の簡単な説明】
【０００８】
【図１】本願考案のオーディオ機器の機構を模式的に示した平面図である。
【図２】本願考案のオーディオ機器の他の機構を模式的に示した平面図である。
【図３】本願考案のオーディオ機器の他の機構を模式的に示した平面図である。
【図４】従来のオーディオ機器の機構を模式的に示した平面図である。
【図５】従来のオーディオ機器の他の機構を模式的に示した平面図である。
【考案を実施するための形態】
【０００９】
従来から使用されているデジタル回路部領域やアナログ回路部領域を備えたオーディオ機器の電流回路は、図４及び図５に模式的に示されているように、電源に接続されたコネクター１から取り込まれた電流は、それぞれアナログ電源２及びデジタル電源３に分配されてアナログ機構４及びデジタル機構５に流される。しかしながら、このように単一のコネクター１によって電源から電流を取り込む場合は、電流が互いに干渉し合うためにノイズ電流が発生して、オーディオ機器の音質劣化の原因となる。これに対して、本願考案のオーディオ機器には、機器内に設けられているアナログ部、デジタル部、電力増幅部のそれぞれに対して、独立した電源供給ラインから電流を送信できる回路が設けられている。
【００１０】
図１〜図３は本願考案のオーディオ機器の電流回路であるが、図１〜図３に記載されているオーディオ機器の電流回路は複数のコネクターが電源に対して独立して設けられている。図１〜図３に模式的に示されている電流回路の態様は異なっているが、複数のコネクターが電源に対して独立して設けられている点では同じであり、図１に示されている電流回路に基づいて説明する。図１における１（Ａ）及び１（Ｂ）は電源に対してそれぞれ独立して設けられたコネクターである。独立して設けられたコネクター１（Ａ）から導入された電流はアナログ電源２を経由してアナログ機構４に、また、もう一つのコネクター１（Ｂ）から導入された電流はデジタル電源３を経由してデジタル機構５に送られる。この様に電源から独立して設けられた別々のコネクター１（Ａ）、１（Ｂ）から取り込まれた電流は互いに干渉し合うことなく、アナログ機構及びデジタル機構に送られるため、オーディオ機器の音質低下の原因となるノイズが発生しないという効果を有したオーディオ機器を得ることができるものである。すなわち、本願考案はデジタル回路部領域やアナログ回路部領域を備えたオーディオ機器において、独立したコネクターを設けて別々に送電することでノイズ電流が抑制されたオーディオ機器を得ることができるものである。
尚、本願考案のオーディオ機器に設けられた複数のコネクター同士の距離は、少なくとも５ｍｍ以上離すことが好ましい。
【産業上の利用可能性】
【００１１】
ノイズが少なく音質の優れたオーディオ機器を安価に提供することができる。
【符号の説明】
【００１２】
１  コネクター
１（Ａ）  コネクター
１（Ｂ）  コネクター
２  アナログ電源
３  デジタル電源
４  アナログ機構
５  デジタル機構
【図１】
0003167682.tif 000003
【図２】
0003167682.tif 000004
【図３】
0003167682.tif 000005
【図４】
0003167682.tif 000006
【図５】
0003167682.tif 000007